(57)【特許請求の範囲】
【請求項１】
物件の測量を支援する測量支援システムであって、
測量者が測量対象の物件の外周を辿る間、その測量者により所持され、現在位置の情報を測量者からの指示により測定する測定手段と、
測量者からの測量終了の指示により、前記測定された現在位置の情報の履歴を当該物件の測量情報として蓄積する蓄積手段と、
測量対象の物件に関する情報に、当該物件の測量情報を関連付けて物件情報として物件情報記憶手段に登録する登録手段と、
入力された物件に関する情報を受け付け、その物件に関する情報を含む物件情報を前記物件情報記憶手段から取り出して提供する提供手段と、
前記測定された現在位置の情報に基づいて、現在位置が事前に設定された位置範囲内にあるか否かを判断する判断手段と、
を有し、
前記蓄積手段は、現在位置が前記位置範囲内にあると判断されたときにのみ、現在位置の情報を蓄積することを特徴とする測量支援システム。
【請求項２】
前記提供手段は、物件の測量情報から特定される現在位置を測定順に結んで得られる輪郭画像を生成し、その輪郭画像を表示することによって提供することを特徴とする請求項1記載の測量支援システム。
【請求項３】
前記提供手段は、予め保持されている地図画像データを表示し、その地図画像データ上に輪郭画像を表示することを特徴とする請求項２記載の測量支援システム。
【請求項４】
前記蓄積された測量情報の一部を修正対象として選択する選択手段と、
前記修正対象となった測量情報の一部を、新たに順次蓄積された現在位置の情報群に置き換えて、測量情報を更新する更新手段と、
をさらに含むことを特徴とする請求項１記載の測量支援システム。
【請求項５】
物件の測量を支援するコンピュータにおいて実施される測量サービスの提供方法において、
測量者が測量対象の物件の外周を辿る間、その測量者により所持される手段を用いることにより、現在位置の情報を測量者からの指示により測定する工程と、
測量者からの測量終了の指示により、前記測定された現在位置の情報の履歴を当該物件の測量情報として蓄積する工程と、
測量対象の物件に関する情報に、当該物件の測量情報を関連付けて物件情報として物件情報記憶手段に登録する工程と、
入力された物件に関する情報を受け付け、その物件に関する情報を含む物件情報を前記物件情報記憶手段から取り出して提供する工程と、
前記測定された現在位置の情報に基づいて、現在位置が事前に設定された位置範囲内にあるか否かを判断する工程と、
を含み、
前記蓄積する工程は、現在位置が前記位置範囲内にあると判断されたときにのみ、現在位置の情報を蓄積することを特徴とする測量サービスの提供方法。
【発明の詳細な説明】
【０００１】
【発明の属する技術分野】
本発明は、土地などの物件の地形関連情報の測量を支援する測量支援システムに係り、特に操作性の改良に関する。
【０００２】
【従来の技術】
近年、都市部の土地価格の高騰と交通手段の発達とが相俟って、郊外に住居や商工業施設を建設するような需要が高まりつつある。郊外では、未開発の土地も多く残されており、例えば山林を切開いて建設を行う必要のある場合も多い。このように山林等、住居表示のない場所に建設物等の物件の建築を計画する場合、当該場所を特定するためにいわゆる「地番」等の表示を用いるのが一般的である。しかし、地番によって地図上で当該場所を区画して表現することは、専門的な測量知識が必要で困難である。そこで、近年、このような物件の測量を行う土地家屋調査士と呼ばれる資格者が育成されている。土地家屋調査士は、現地に赴いて物件の位置を緯度、経度等を測定することで地図上に当該物件の位置及び形状を表現し、地番地図の作成など、土地の表示に関する業務を遂行する。
【０００３】
【発明が解決しようとする課題】
しかしながら、上記従来の土地家屋調査士による測定では、当該資格者が大掛りな装置を用いて用紙に測量結果を記録し、これを地図上に書き起こすという方法が採られるので、依頼者にとってみれば、コストがかかり所要時間の面でも問題がある。また、土地家屋調査士にとっても、測量装置の購入などに多額の出費が求められ、コストの低減が極めて困難である。
【０００４】
本発明は上記実情に鑑みて為されたもので、低いコストで、迅速に高精度の測量を支援できる測量支援システムを提供することを目的とする。
【０００５】
また、本発明の別の目的は、このように低廉で迅速かつ高精度の測量を行うサービスを提供する、サービス提供方法を提供することを目的とする。
【０００６】
【課題を解決するための手段】
上記従来例の問題点を解決するための本発明は、物件の測量を支援する測量支援システムであって、測量者が測量対象の物件の外周を辿る間、その測量者により所持され、現在位置の情報を測量者からの指示により測定する測定手段と、測量者からの測量終了の指示により、前記測定された現在位置の情報の履歴を当該物件の測量情報として蓄積する蓄積手段と、測量対象の物件に関する情報に、当該物件の測量情報を関連付けて物件情報として物件情報記憶手段に登録する登録手段と、入力された物件に関する情報を受け付け、その物件に関する情報を含む物件情報を前記物件情報記憶手段から取り出して提供する提供手段と、前記測定された現在位置の情報に基づいて、現在位置が事前に設定された位置範囲内にあるか否かを判断する判断手段と、を有し、前記蓄積手段は、現在位置が前記位置範囲内にあると判断されたときにのみ、現在位置の情報を蓄積するものである。
【０００７】
また、前記提供手段は、物件の測量情報から特定される現在位置を測定順に結んで得られる輪郭画像を生成し、その輪郭画像を表示することによって提供するものである。
また、前記提供手段は、予め保持されている地図画像データを表示し、その地図画像データ上に輪郭画像を表示するものである。
【０００８】
また、前記蓄積された測量情報の一部を修正対象として選択する選択手段と、前記修正対象となった測量情報の一部を、新たに順次蓄積された現在位置の情報群に置き換えて、測量情報を更新する更新手段と、をさらに含むことを特徴としている。
【００１０】
また、上記従来例の問題点を解決するための本発明は、物件の測量を支援するコンピュータにおいて実施される測量サービスの提供方法において、測量者が測量対象の物件の外周を辿る間、その測量者により所持され手段を用いることにより、現在位置の情報を測量者からの指示により測定する工程と、測量者からの測量終了の指示により、前記測定された現在位置の情報の履歴を当該物件の測量情報として蓄積する工程と、測量対象の物件に関する情報に、当該物件の測量情報を関連付けて物件情報として物件情報記憶手段に登録する工程と、入力された物件に関する情報を受け付け、その物件に関する情報を含む物件情報を前記物件情報記憶手段から取り出して提供する工程と、前記測定された現在位置の情報に基づいて、現在位置が事前に設定された位置範囲内にあるか否かを判断する工程と、
を含み、前記蓄積する工程は、現在位置が前記位置範囲内にあると判断されたときにのみ、現在位置の情報を蓄積するものである。
【００１２】
【発明の実施の形態】
実施の形態１．
本発明の実施の形態について図面を参照しながら説明する。本発明の実施の形態に係る測量支援システムは、図１に示すように、顧客側に配置されるパーソナルコンピュータ（ＰＣ）１と、測量支援装置（及び測量支援端末）としてのノート型パーソナルコンピュータ（ノートパソコン）２と、物件データベース３と、Ｗｅｂサーバ４とから基本的に構成されている。ここで物件データベース３及びＷｅｂサーバ４は、ＬＡＮ（Local Area Network）を介して相互に通信可能に接続されている。また、Ｗｅｂサーバ４と、ＰＣ１とは、インターネットを介して接続されている。ノートパソコン２は、図２に示すように、ＣＰＵ５と、ＲＡＭ６と、操作部７と、表示部８と、カードインタフェース９と、位置検出カード１０とを含んでなる。
【００１３】
ＰＣ１は、一般的なパーソナルコンピュータであり、Ｗｅｂサーバに対してアクセスするためのＷｅｂクライアントソフトウエア（以下、ブラウザと呼ぶ）を実行している。ノートパソコン２のＣＰＵ５は、このノートパソコン２の各部を制御するとともに、測量支援のためのプログラムを実行している。このプログラムの処理内容については後に詳しく説明する。ＲＡＭ６は、ＣＰＵ５のワークメモリとして動作し、測量支援プログラムによって得られる測量情報を記憶する。
【００１４】
操作部７は、トラックパッド等のポインティングデバイスとキーボード等であり、利用者の操作内容をＣＰＵ５に伝達する。表示部８は、液晶ディスプレイなどであり、ＣＰＵ５から入力される指示に基づいて情報を表示する。カードインタフェース９は、ＣＰＵ５と位置検出カード１０との間で情報を授受するもので、例えばＰＣＭＣＩＡインタフェースである。位置検出カード１０は、ＧＰＳ（Global Positioning System）等、現在位置の情報を測定するもので、具体的にはＰＣＭＣＩＡカードとして市販されているＧＰＳカードを用いる。そしてこの位置検出カード１０は、カードインタフェース９を介してＣＰＵ５に接続されている。
【００１５】
ここで、ノートパソコン２のＣＰＵ５の測量支援プログラムの処理について説明する。このＣＰＵ５が本発明の各手段を実現する。ＣＰＵ５は、操作部７から測定指示の入力を受けると、位置検出カード１０で検出される位置情報（緯度及び経度を含む情報）を取得して、ＲＡＭ６に蓄積する。また、ＣＰＵ５は、測定指示の入力を受けている間は、位置検出カード１０で検出される現在位置の情報を断続的に取得して、ＲＡＭ６に蓄積する。これによりＲＡＭ６には、図３に示すように、緯度及び経度の組を含んでなる複数の位置情報が測量情報として蓄積されているようになる。尚、図３では、これらの情報を取得した時刻（測定時刻）と高度の情報をも関連づけられているものとしている。また、このＣＰＵ５は、測定終了の指示の入力を受けると、ＲＡＭ６に蓄積した緯度及び経度の情報に基づいて、測定順に経緯度の点を結んで得られる輪郭画像を生成して、表示部８に表示する。この表示結果は、具体的に図４に示すようなものとなる。尚この表示は、地図画像に併せて行うことが好ましい。
【００１６】
これにより測量しようとする担当者が、このノートパソコン２を携帯して測定指示を行いつつ、測量対象となった物件の外周を辿ることで、ノートパソコン２内にその外周上の緯度・経度の組を含んでなる測量情報が蓄積され、容易に測量を完了できる。
【００１７】
ノートパソコン２は、また、図示しない外部インタフェース（ＵＳＢ等）を備え、これを介して物件データベース３にＲＡＭ６内の測量情報をアップロードする。
【００１８】
物件データベース３は、ノートパソコン２からアップロードされる測量情報を取得して、別途入力される物件名や所在地、測量を依頼した顧客名などの情報に関連づけて、物件情報として登録する。また、この物件データベース３は、Ｗｅｂサーバ４から入力される検索の指示に従って、登録されている物件情報を検索し、検索の結果得られた物件情報をＷｅｂサーバ４に提供する。
【００１９】
Ｗｅｂサーバ４は、インターネットを介してＰＣ１からアクセスを受けて、ＰＣ１の利用者である顧客から測量依頼を受け付ける処理と、依頼された測量結果を顧客に提供する処理とを行う。測量依頼を受け付ける処理では、Ｗｅｂサーバ４は、顧客名や測量場所の情報などの入力を受け付けて、担当者に報告する。また、依頼された測量結果を提供する処理では、顧客名の入力を促し、入力された顧客名に関連づけられている物件情報を物件データベース３に検索させ、その検索結果である物件情報をインターネットを介してＰＣ１に提供する。
【００２０】
次に、本実施の形態に係る測量支援システムの動作について説明する。測量を依頼したい顧客は、ＰＣ１を操作してインターネットを介してＷｅｂサーバ４にアクセスし、ここで測量依頼を行う。具体的に顧客は顧客名、測量場所に関する情報を入力する。すると、Ｗｅｂサーバ４が顧客からの測量依頼の受付があったことを測量の担当者に知らせる。測量担当者は、この依頼内容に従って、当該依頼された土地にノートパソコン２を所持して来訪し、測定指示の操作を行いつつ、測量対象の物件である土地の外周を辿る。これにより、ノートパソコン２のＲＡＭ６に外周上の経緯度の測定値の履歴が測量情報として蓄積される。尚、測量対象は領域の外形であるから、この測量情報によって、要所で取得された位置情報に基づき、領域を区画する閉じた線図が形成されることになる。
【００２１】
測量担当者はノートパソコン２を物件データベース３に接続して測量情報をアップロードする。そして、物件データベース３に物件の外周を特定する経緯度からなる測量情報が蓄積される。また、測量担当者は、この物件データベース３にアップロードした測量情報に、物件名や顧客名等の情報を関連づけて物件情報として登録する。さらに測量担当者は、電話やＦＡＸ、電子メールなどにより測量の完了を顧客側に通知する。
【００２２】
測量の完了通知を受けた顧客は、ＰＣ１を操作してＷｅｂサーバ４にアクセスし、顧客名を入力して、関連する物件情報を閲覧する。ここでＷｅｂサーバ４は、地図画像データを保持しておき、当該物件情報に含まれている測量情報を地図上に図示して表示するのも好ましい。
【００２３】
これにより顧客はインターネットを介して地番地図の作成依頼を容易に行うことができ、また測量担当者は、測量のために特別の技能を拾得する必要がなく、単にノートパソコン２を所持して物件の外周を辿るだけで容易に測量を完了できる。
【００２４】
さらにここでは、測量支援装置としてのノートパソコン２は、外周を誤認して測量してしまった場合に配慮して、測量情報の部分的修正を受け付けるようにしておくことが好ましい。このためにはまず、図４に示した輪郭線上で、修正の始点となる位置及び終点となる位置と、修正対象の輪郭部分の指定との入力を操作部７から受けて当該部分に相当してＲＡＭ６に記録されている測量情報を特定する。そして、改めて測定指示の入力を受けて蓄積した測量情報を当該修正対象として特定した測量情報に置き換えて設定する。これにより、物件の測量情報の修正を容易にすることができる。
【００２５】
実施の形態２．
次に、本発明の第２の実施の形態に係る測量サービスの提供方法について説明する。本実施の形態において用いられるシステムは、図１に示した第１の実施の形態に係るものとほぼ同様であるが、Ｗｅｂサーバ４における測量依頼の受付方法が異なる。すなわち、本実施の形態のＷｅｂサーバ４は、事前に測量担当者の候補から担当者候補名や、住所・居所、事業所名、連絡先等の情報の登録を受けておく。尚、本実施の形態においては、物件データベース３及びＷｅｂサーバ４は、サービスを提供するセンタ側に配置され、ノートパソコン２もセンタ側で管理されている。そして担当者候補は、このセンタとの契約において登録を行っている。
【００２６】
顧客側から顧客名や物件の住所などの入力が行われて、測量依頼が受け付けられると、この測量依頼の内容が登録された担当者候補の連絡先に配信される。ここで測量依頼には、依頼者の氏名、土地の場所、物件種類、測量の要求仕様（高さの必要の有無、精度、現状説明など）、期限などが含まれていることが好ましい。Ｗｅｂサーバ４は、この測量依頼の識別子を発行して、図示しない依頼データベースにこの識別子に関連する新たなレコードを作成する。
【００２７】
各担当者候補は、この測量依頼を参照し、測量請負条件としての料金や納期、特記事項などを記述して当該測量依頼の識別子に関連づけられた依頼データベース上のレコードに登録しておく。
【００２８】
Ｗｅｂサーバ４は、顧客側のＰＣ１からインターネットを介してこの測量請負条件の閲覧要求を受けて、当該顧客の氏名に基づいて測量依頼識別子を特定し、当該識別子に関連づけられたレコードを依頼データベースから抽出して、顧客側に提供する。ここで、顧客がブラウザを操作していずれかの測量担当者を指名する指示を行うと、当該測量担当者に対して、測量依頼が行われたことが報知され、他の担当者に対しては依頼が為されなかったことが報知される。そして、指名された担当者は、センタからノートパソコン２を借り受けて現地に赴き、そこで測量を行って、センタにノートパソコン２を返却する。そしてセンタ側でこのノートパソコン２から物件データベース３に測量結果を移して蓄積する。こうして顧客はＷｅｂサーバ４を介してこの測量結果を参照することができるようになる。尚、好ましくは、測量担当者の測量請負条件の取得及び実際に測量を行うこととなった測量担当者に対する測量依頼は、Ｗｅｂサーバ４により、測量担当者との間でインターネットを介して行われる。
【００２９】
すなわち本実施の形態のようにすることで、土地家屋調査士のように業として測量を行う者がセンタに登録しておけば、測量依頼を受けた時点で、測量用の機材であるノートパソコン２がセンタから貸与され、容易な操作で迅速に測量を行うことができるようになる。また高価な機材を用いる必要がなく、サービスのコストを低減できる。
【００３０】
尚、第１、第２の実施の形態において、ノートパソコン２は、測量担当者としての専門業者が主として取り扱うものとして説明したが、その測量操作が極めて容易であることに鑑み、測量依頼者である顧客自らが測量担当者としてこのノートパソコン２を借り受けて現地での測量を行うことも考えられる。この場合には、貸し出しごとに課金を行うことが好ましいが、例えば顧客になりすました悪意の人物がノートパソコン２を借り受けて、目的の物件のみならず、他の物件についても一度に測量を行ってしまうことで料金分以外の不正使用を行うことも考えられる。そのため、ノートパソコン２の貸し出しが行われる場合には、事前に測量対象物件の所在地に合わせて、測定可能範囲を設定しておき、ＣＰＵ５が測定指示により位置検出カード１０から位置情報を取得したときに、当該位置情報の表す位置が、この範囲内にある場合にのみ測量情報をＲＡＭ６に蓄積するようにすることが好適である。これにより濫用が防止され、正当な使用を行わせることができる。また、かかる濫用防止の方法としては、このほか、ＲＡＭ６に記録されている内容が不正に取得されないようにＣＰＵ５が測定情報を暗号化して記録する等の方法がある。
【００３１】
さらに、ここまでの説明においては、ノートパソコン２を用いて測量を行う場合について説明したが、例えば衛星写真によって物件特定が可能な場合には、衛星写真上にマウス操作によって物件の境界を引き、その境界輪郭の緯度・経度情報を衛星写真の座標から算出して、地図情報上に対象物件の外形を表示し、Ｗｅｂサーバ４を介して顧客側に提供することも好ましい。これによれば、現地での測量が不要となり、より簡便に測量作業を遂行でき、低廉なコストで迅速に、かつ衛星写真による精度の高い測量サービスが遂行できる。
【００３２】
【発明の効果】
本発明によれば、物件の測量を支援するために、現在位置の情報を指示により取得し、取得された現在位置の情報の履歴を測量情報として記録する測量支援端末と、この測量支援端末から測量情報を受信して、当該測量対象となった物件を識別する情報と受信した測量情報とを関連づけて蓄積するサーバと、を含んでなり、このサーバに蓄積された測量情報が電気通信網を介して顧客側に提供される測量支援システムとしているので、簡便な操作で迅速かつ高精度に測量が行われ、低廉なコストで、迅速かつ高精度の測量が支援される。
【００３３】
また、本発明によれば、物件の測量を支援するために、測定指示を受けて現在位置の情報を取得し、この取得された現在位置の情報を順次蓄積して測量情報を生成する測量支援装置としているので、測量対象物件の周囲を測定指示を行いながら辿るだけの簡便な操作で測量を行うことができ、低廉なコストで迅速かつ高精度の測量が支援される。
【００３４】
また本発明のある態様では、当該測量支援装置が、蓄積された測量情報の一部を修正対象として選択し、修正対象となった測量情報の一部を、新たに順次蓄積された現在位置の情報群に置換えて、測量情報を更新するので、誤って測量された内容の修正も容易に行うことができ、より高精度の測量が支援される。
【００３５】
さらに、本発明の別の態様では、測量支援装置が、取得された現在位置の情報に基づいて、現在位置が事前に設定された位置範囲内にあるか否かを判断し、測量情報を生成する際に、現在位置がこの位置範囲内にあると判断されたときにのみ、当該現在位置の情報を蓄積することとしているので、誤用・濫用を防止できる。
【００３６】
また、本発明によれば、コンピュータを用いて、測量対象物件に関連する情報を顧客側から受信し、測量対象物件を事前に登録された担当員候補に提示し、担当員候補から測量請負条件を受信し、顧客側に対し、電気通信網を介してこの測量請負条件を提示し、顧客側から担当員候補のうち、実際の測量を担当する担当員の選択を受ける測量サービスの提供方法としているので、担当者から提示された条件の下で、顧客側に低廉なコストで、迅速かつ高精度の測量サービスを提供できる。
【００３７】
さらに本発明によれば、選択された担当員に対し、請求項２から４のいずれかに記載の測量支援装置を貸与する工程と、当該貸与された測量支援装置に蓄積された測量情報を抽出して、顧客側に対し、当該測量情報を提供することで、低廉なコストで、迅速かつ高精度の測量サービスを提供できる。
【図面の簡単な説明】
【図１】  本発明の実施の形態に係る測量支援システムの構成ブロック図である。
【図２】  ノートパソコン２の構成ブロック図である。
【図３】  測量情報の一例を表す説明図である。
【図４】  測量情報の表示例を表す説明図である。
【符号の説明】
１  パーソナルコンピュータ、２  ノートパソコン、３  物件データベース、４  Ｗｅｂサーバ、５  ＣＰＵ、６  ＲＡＭ、７  操作部、８  表示部、９  カードインタフェース、１０  位置検出カード。
【図１】
0004371594.tif 000002
【図２】
0004371594.tif 000003
【図３】
0004371594.tif 000004
【図４】
0004371594.tif 000005